(57)【要約】　　　（修正有）【課題】組立工程を簡素化し、電装室の内部空間の活用度を高めるか、又は本体の大きさを減少させるための電子レンジのマグネトロン駆動回路基板を提供する。【解決手段】電装品が設けられる電装室を有し、この電装室に高周波を発生させるマグネトロン３０４と、このマグネトロン３０４に高電圧電源を供給するマグネトロン駆動回路を含む。前記マグネトロン３０４と前記マグネトロン駆動回路の電気素子は単一基板３００上に装着され、この基板３００は締結部材により前記電装室に取り付けられる。【選択図】　　　　図５
2004111351.tif 000002
【特許請求の範囲】
【請求項１】
高周波を発生させるマグネトロン、前記マグネトロンに高電圧電源を供給するマグネトロン駆動回路、及び前記マグネトロン及び前記マグネトロン駆動回路を収容する電装室を有する電子レンジにおいて、
前記マグネトロンと前記マグネトロン駆動回路の電気素子が装着され、締結部材により前記電装室に固着される単一マグネトロン駆動回路基板を含むことを特徴とする電子レンジ。
【請求項２】
前記電気素子は、高圧トランス、高圧ダイオード及び高圧コンデンサを含むことを特徴とする請求項１に記載の電子レンジ。
【請求項３】
前記電気素子は、被覆銅線により互いに電気的に連結されることを特徴とする請求項２に記載の電子レンジ。
【請求項４】
前記電気素子は、プリント基板に用いられるパターニング方式により互いに電気的に連結されることを特徴とする請求項２に記載の電子レンジ。
【請求項５】
前記高圧コンデンサと前記高圧ダイオードは前記単一マグネトロン駆動回路基板の第１面に装着され、前記高圧トランスは前記単一マグネトロン駆動回路基板の第２面に装着されることを特徴とする請求項２に記載の電子レンジ。
【請求項６】
前記電子レンジは、前記調理室に空気を供給するため前記単一マグネトロン駆動回路基板に装着されたエアカバーをさらに含むことを特徴とする請求項１に記載の電子レンジ。
【請求項７】
前記電子レンジは、
制御部と、
外部電源から前記単一マグネトロン駆動回路に電源を受けるための電源ケーブルと、
前記制御部から前記単一マグネトロン駆動回路に制御信号を受けるための制御信号ケーブルとをさらに含むことを特徴とする請求項１に記載の電子レンジ。
【請求項８】
前記電源ケーブルと前記制御信号ケーブルはそれぞれハーネス形態に構成されることを特徴とする請求項１０に記載の電子レンジ。
【請求項９】
マグネトロンを駆動するための高電圧電源を発生させるマグネトロン駆動回路において、
前記マグネトロンと前記マグネトロン駆動回路の電気素子が装着される単一マグネトロン駆動回路基板を含むことを特徴とするマグネトロン駆動回路。
【請求項１０】
前記電気素子は、高圧トランス、高圧ダイオード及び高圧コンデンサを含むことを特徴とする請求項９に記載のマグネトロン駆動回路。
【請求項１１】
前記電気素子は、被覆銅線により互いに電気的に連結されることを特徴とする請求項１０に記載のマグネトロン駆動回路。
【請求項１２】
前記電気素子は、プリント基板に用いられるパターニング方式により互いに電気的に連結されることを特徴とする請求項１０に記載のマグネトロン駆動回路。
【請求項１３】
前記高圧コンデンサと前記高圧ダイオードは前記単一マグネトロン駆動回路基板の第１面に装着され、前記高圧トランスは前記単一マグネトロン駆動回路基板の第２面に装着されることを特徴とする請求項１０に記載のマグネトロン駆動回路。
【請求項１４】
前記電子レンジは、
外部電源から電源を受けるための電源ケーブルと、
制御部から制御信号を受けるための制御信号ケーブルとをさらに含むことを特徴とする請求項９に記載のマグネトロン駆動回路。
【請求項１５】
前記電源ケーブルと前記制御信号ケーブルはそれぞれハーネス形態に構成されることを特徴とする請求項１４に記載のマグネトロン駆動回路。
【請求項１６】
前記単一マグネトロン駆動回路基板には少なくとも一つの締結孔が形成され、前記単一マグネトロン駆動回路基板は前記締結孔に締結部材を締結することにより電装室に固着されることを特徴とする請求項９に記載のマグネトロン駆動回路。
【請求項１７】
電装室と高周波を発生させるマグネトロンを含む電子レンジにおいて、
高電圧部品と単一回路基板を含み、前記マグネトロンに電源を供給し、前記マグネトロンと前記高電圧部品が装着される単一回路基板と、
前記単一回路基板を前記電装室に連結する連結部材とを含んでなることを特徴とする電子レンジ。
【請求項１８】
前記高電圧部品は、高圧トランス、高圧ダイオード及び高圧コンデンサを含むことを特徴とする請求項１７に記載の電子レンジ。
【請求項１９】
前記単一回路基板は、前記高電圧部品を電気的に連結する被覆銅線を含むことを特徴とする請求項１８に記載の電子レンジ。
【請求項２０】
前記単一回路基板は、前記高電圧部品を電気的に連結するプリント基板を含むことを特徴とする請求項１８に記載の電子レンジ。
【請求項２１】
前記高電圧部品は前記単一回路基板の両側面に装着されることを特徴とする請求項１７に記載の電子レンジ。
【請求項２２】
前記高圧コンデンサと前記高圧ダイオードは前記単一回路基板の一面に装着され、前記高圧トランスは前記単一回路基板の反対面に装着されることを特徴とする請求項１８に記載の電子レンジ。
【請求項２３】
前記電子レンジは、
前記電子レンジ内に配置された飲食物を調理する調理室と、
前記調理室に空気を供給するため前記単一回路基板に装着されたエアカバーとをさらに含むことを特徴とする請求項１７に記載の電子レンジ。
【請求項２４】
前記電子レンジは、
制御部と、
外部電源から電源を受けるための電源ケーブルと、
前記制御部からの制御信号により前記駆動回路を制御する制御信号ケーブルとをさらに含むことを特徴とする請求項１７に記載の電子レンジ。
【請求項２５】
前記電源ケーブルと前記制御信号ケーブルはそれぞれハーネス形態に構成されることを特徴とする請求項２４に記載の電子レンジ。
【請求項２６】
前記連結部材は、
前記単一回路基板の縁部に形成された連結孔と、
前記単一回路基板を前記電装室に連結するため、前記連結孔内に収容される連結部とを含むことを特徴とする請求項１７に記載の電子レンジ。
【請求項２７】
前記マグネトロンは前記単一回路基板の一面に装着され、前記マグネトロンは、前記マグネトロンから発生した高周波を放射するアンテナを含み、前記単一回路基板は、前記マグネトロンのアンテナが単一回路基板の反対側面から突出するように前記単一回路基板に形成されたアンテナ収容孔とを含むことを特徴とする請求項１７に記載の電子レンジ。
【請求項２８】
前記マグネトロンは前記単一回路基板の一面に装着され、前記マグネトロンは、前記マグネトロンから発生した高周波を放射するアンテナを含み、前記単一回路基板は、前記マグネトロンのアンテナが単一回路基板の反対側面から突出するように前記単一回路基板に形成されたアンテナ収容孔とを含むことを特徴とする請求項２３に記載の電子レンジ。
【請求項２９】
前記電子レンジは、
前記電装室と前記調理室間に設けられた導波管と、
前記電装室と前記調理室間に設けられた空気流入口とをさらに含み、
前記単一回路基板は、前記マグネトロンのアンテナと前記単一回路基板のエアカバーは前記導波管と前記空気流入口の位置とそれぞれ一致するするように配置されることを特徴とする請求項２８に記載の電子レンジ。
【請求項３０】
前記電子レンジは、
前記電装室と前記調理室間に設けられた導波管と、
前記電装室と前記調理室間に設けられた空気流入口とをさらに含み、
前記単一回路基板は、前記導波管と前記空気流入口の位置によって配置されることを特徴とする請求項２８に記載の電子レンジ。
【請求項３１】
高周波を発生させるマグネトロンと、前記マグネトロンに電源を供給するマグネトロン駆動回路と、前記マグネトロン及び前記マグネトロン駆動回路を収容する電装室とを有する電子レンジにおいて、
前記マグネトロン駆動回路の電気部品、前記マグネトロン、及び前記マグネトロン及び前記マグネトロンの電気部品が装着されるマグネトロン駆動回路基板を含む構成部と、
前記構成部を前記電装室に連結する装着部材とを含んでなることを特徴とする電子レンジ。
【発明の詳細な説明】
【０００１】
【発明の属する技術分野】
本発明は電子レンジに係り、より詳しくはマグネトロンとマグネトロン駆動回路が単一基板に装着された電子レンジのマグネトロン駆動回路基板に関するものである。
【０００２】
【従来の技術】
一般に、電子レンジのマグネトロンを駆動するための駆動回路は、高圧コンデンサ、高圧ダイオード、高圧トランスなどの高電圧素子から構成される。この駆動回路は、高圧トランスを用いて商用交流電圧を２０００Ｖ程度に昇圧し、この昇圧された電圧をマグネトロンの駆動に必要な４０００Ｖ程度にさらに昇圧してマグネトロンに供給する。
【０００３】
図１は従来の電子レンジの電装室の構造を示すものである。同図に示すように、電子レンジの本体１２０には、前面の開放された調理室１２１と、各種の電装品が装着される電装室１２２とが設けられる。調理室１２１の前面には調理室１２１を開平するためのドア１２３が設けられ、電装室１２２の前面には電子レンジのいろいろの動作を制御するための制御盤１２４が設けられる。制御盤１２４の内側には、制御盤１２４の操作によって制御信号を発生して電子レンジの諸般動作を制御するマイコンを有する回路基板１３５が設けられる。
【０００４】
電装室１２２の内部には、マグネトロン１３０、高圧トランス１３１、高圧コンデンサ１８２、高圧ダイオード１８４などの高電圧素子が設けられる。マグネトロン１３０は高圧トランス１３１、高圧コンデンサ１８２、及び高圧ダイオード１８４から高電圧を受け、高周波を発生させて調理室１２１内に放射する。調理室１２１の内部においては、マグネトロン１３０から放射された高周波により飲食物の調理が行われる。
【０００５】
電装室１２２の内部には、そのほかにも電子レンジの動作に必要な各種の電装品が設けられる。電装室１２２の後方には、外部空気を吸入してマグネトロン１３０を冷却させるための送風ファン１３２が取り付けられ、該送風ファン１３２の上部には、供給電源に混入された高周波ノイズを除去するためのノイズフィルタ１３３が設けられる。ノイズフィルタ１３３には、電源を受けるための電源コード１３４が連結される。
【０００６】
また、電装室１２２の内部の各電装品にはワイヤ１４０、１５０を介して電源が供給され、制御信号などが伝達される。このワイヤ１４０、１５０はそれぞれ電装室１２２の後方及び前方に設けられる電装品に電源及び制御信号を伝達する第１ワイヤ１４０と第２ワイヤ１５０から構成されるもので、接続端子１４２、１５２を介して電気的に連結される。
【０００７】
図２は従来の電子レンジの電源回路を示すもので、マグネトロン１３０、高圧トランス１３１、高圧コンデンサ１８２、高圧ダイオード１８４、ノイズフィルタ１３３などの電気的連結関係を示す。
【０００８】
このような従来の電子レンジの電装室１２２の構造において、マグネトロン１３０と高圧トランス１３１、高圧コンデンサ１８２、高圧ダイオード１８４などの高電圧素子は互いに離隔して電装室１２２の壁面と底面にそれぞれ取り付けられ、これらを連結するための第１及び第２ワイヤ１４０、１５０が複雑にもつれている。
【０００９】
このような複雑な設置構造のため、電子レンジの生産工程において、電装室の組立に長時間がかかる。また、電装室の複雑な構造は電装室の内部空間活用度を低下させて、電子レンジの本体の大きさを増大させる原因となる。
【００１０】
【発明が解決しようとする課題】
したがって、本発明は前記のような従来の問題点に鑑みてなされたもので、電装室に取り付けられるマグネトロンと高電圧素子を単一基板上に取り付けてパッケージ化することで組立工程を簡素化し、電装室の内部空間の活用度を高めるか、又は本体の大きさを減少させるための電子レンジのマグネトロン駆動回路基板を提供することにその目的がある。
【００１１】
【課題を解決するための手段】
前記のような目的を達成するため、本発明は、高周波を発生させるマグネトロン、前記マグネトロンに高電圧電源を供給するマグネトロン駆動回路、及び前記マグネトロン及び前記マグネトロン駆動回路を収容する電装室を有する電子レンジにおいて、前記マグネトロンと前記マグネトロン駆動回路の電気素子が装着され、締結部材により前記電装室に固着される単一マグネトロン駆動回路基板を含む電子レンジを提供する。
【００１２】
【発明の実施の形態】
以下、本発明による電子レンジの第１実施例を図３Ａないし図６Ｂに基づいて説明する。
【００１３】
図３Ａ及び図３Ｂは本発明による電子レンジのマグネトロン駆動回路基板３００の実施例を示す斜視図である。図３Ａに示すように、本発明による駆動回路基板３００は、基板３０２上にマグネトロン３０４とエアカバー３０６が固着され、その下部には高電圧素子である高圧コンデンサ３１８、高圧ダイオード３１０及び高圧トランス３０８が固着される。エアカバー３０４は、電装室内に取り付けられた冷却ファン（図示せず）により生成された気流を調理室の内部に供給するためのものである。そして、電源を受けるための電源ケーブル３１４と、制御手段から制御信号を受信するための制御信号ケーブル３１２がそれぞれ設けられる。電源ケーブル３１４と制御信号ケーブル３１２はハーネス（ｈａｒｎｅｓｓ）形態に構成して、電源端子と制御端子に容易に連結できるようにする。このような基板３０２の縁部には、締結部材が挿設できるように、多数の締結孔３１６が形成される。
【００１４】
図３Ｂは図３Ａのマグネトロン駆動回路基板３００の裏面を示すものである。同図に示すように、基板３００の裏面にはマグネトロン３０４のアンテナ３２２が突出しており、このアンテナ３２２から高周波が放射される。そして、図３Ａに示すエアカバー３０６により供給される空気が調理室の内部に供給されるように、空気流入口３２０が形成される。したがって、本発明によるマグネトロン駆動回路基板３００を採用した電子レンジ本体の電装室５０６と調理室間の隔壁５０８には、本発明によるマグネトロン駆動回路基板３００のマグネトロンアンテナ３２２と空気流入口３２０の位置に合うように、導波管（図示せず）と空気流入通路（図５参照）がそれぞれ確保されていなければならない。したがって、本発明によるマグネトロン駆動回路基板３００を採用した電子レンジの開発段階で前述したような部品の配置及び規格が一致するように製品を設計することが好ましい。
【００１５】
図４は図３Ａの駆動回路基板３００の配線構造を示すものである。同図に示すように、マグネトロン３０４、高圧コンデンサ３１８、高圧ダイオード３１０及び高圧トランス３０８間に電気的配線が設けられ、高圧ダイオード３１０による整流作用と高圧コンデンサ３１８による平滑作用がなされるので、交流電圧が直流電圧に変換され、変換された直流電圧が高圧トランス３０８により昇圧されてマグネトロン３０４に印加される。配線は一般の被覆銅線を用いて具現してもよく、プリント基板に用いられるパターニング方式で具現してもよい。
【００１６】
図５は図３Ａの駆動回路基板３００が電子レンジの電装室５０６に結合される状態を示すものである。同図に示すように、本発明によるマグネトロン駆動回路基板３００を電装室５０６の隔壁５０８に固着させるに際して、マグネトロン３０４とエアカバー３０６がマグネトロンアンテナ挿入孔５０２と空気吸入口５０４と一致するようにする。したがって、予め製作されている本発明によるマグネトロン駆動回路基板３００を電装室５０６の隔壁５０８に単に締結部材５１０で締結することで、マグネトロン３０４と該マグネトロン３０４を駆動するための高電圧素子３０８、３１０、３１８の取り付けが簡単に完了する。
【００１７】
図６Ａ及び図６Ｂは本発明による電子レンジのマグネトロン駆動回路基板の第２実施例を示すもので、エアカバーが一体化していなくてマグネトロン６０４と高電圧トランス６０８、高電圧ダイオード６１０及び高電圧コンデンサ６１８などの高電圧素子が基板６０２上に取り付けられたものを示す。
【００１８】
図６Ａ及び図６Ｂに示すように、本発明による駆動回路基板６００は、基板６０２の前面側にマグネトロン６０４の一部が突出するように装着される。基板６０２には締結孔６５０が形成され、この締結孔６５０に締結部材が挿入されることにより、基板６０２がマグネトロン６０４に固定される。マグネトロン６０４の前面にも、締結部材が挿入されるように多数の締結孔６１６が形成され、この締結孔６１６に締結部材が挿入されることにより、電子レンジの本体の電装室と調理室を区画する隔壁にマグネトロン６０４が固着される。基板６０２の前面には高圧ダイオード６１０、電源ケーブル６１４、制御信号ケーブル６１２及び高圧コンデンサ６１８のみが取り付けられ、高圧トランス６０８は基板６０２の裏面に取り付けられる。
【００１９】
図６Ｂは図６Ａのマグネトロン駆動回路基板６００の裏面を示すものである。同図に示すように、基板６０２の裏面にはマグネトロン６０４のアンテナ６２２が突出しており、このアンテナ６２２から高周波が放射される。図６Ａに示す本発明によるマグネトロン駆動回路基板６００はエアカバーを考慮していない構造であるので、電子レンジ本体の電装室と調理室間に設けられる導波管の位置を考慮してマグネトロン駆動回路基板６００の設置位置を決定しなければならない。したがって、本発明によるマグネトロン駆動回路基板６００を採用した電子レンジの開発段階において、前述したような部品の配置及び規格が一致するように製品を設計することが好ましい。
【００２０】
【発明の効果】
以上説明したように、本発明による電子レンジは電装室に設けられるマグネトロンと高電圧素子を単一基板上に取り付けてパッケージ化することにより、組立工程を簡素化し、電装室内部の空間活用度を高めるか又は本体の大きさを減少させることができる。
【図面の簡単な説明】
【図１】従来の電子レンジの電装室構造を示す分解斜視図である。
【図２】従来の電子レンジの電源回路を示す回路図である。
【図３Ａ】本発明による電子レンジのマグネトロン駆動回路基板の第１実施例の前面部を示す斜視図である。
【図３Ｂ】本発明による電子レンジのマグネトロン駆動回路基板の第１実施例の後面部を示す斜視図である。
【図４】図３Ａの駆動回路基板の配線構造を示す正面図である。
【図５】図４Ａの駆動回路基板が電子レンジの電装室に装着される状態を示す斜視図である。
【図６Ａ】本発明による電子レンジのマグネトロン駆動回路基板の第２実施例の前面部を示す斜視図である。
【図６Ｂ】本発明による電子レンジのマグネトロン駆動回路基板の第２実施例の後面部を示す斜視図である。
【符号の説明】
３００　電子レンジのマグネトロン駆動回路基板
３０２、６０２　基板
３０４、６０４　マグネトロン
３０６　エアカバー
３０８、６０８　高圧トランス
３１０、６１０　高圧ダイオード
３１２　制御信号ケーブル
３１４　電源ケーブル
３１６　締結孔
３１８、６１８　高圧コンデンサ
３２０　空気流入口
３２２、６２２　アンテナ
５０２　アンテナ挿入孔
５０４　空気吸入口
５０６　電装室
５０８　隔壁
５１０　締結部材
６５０、６１６　締結孔
【図１】
2004111351.tif 000003
【図２】
2004111351.tif 000004
【図３Ａ】
2004111351.tif 000005
【図３Ｂ】
2004111351.tif 000006
【図４】
2004111351.tif 000007
【図５】
2004111351.tif 000008
【図６Ａ】
2004111351.tif 000009
【図６Ｂ】
2004111351.tif 000010